(57)【特許請求の範囲】
【請求項１】
４つの角部を介して連なる４つの側壁により形成されて長方形に開口する筒状の胴部と、該胴部の開口端縁のうち長辺となる一対の端縁に折目線を介して連設されて前記側壁に対し直角となるように胴部内側方向に折り曲げる一対の長辺フラップとを備える包装箱であって、
両長辺フラップを開いて前記胴部の対向する一対の角部を共に鋭角に曲げることにより該胴部を偏平に畳んだとき、両長辺フラップの側端部同士が重合する重合部が形成されるものにおいて、
前記重合部に対応する少なくとも一方の長辺フラップの側端縁に沿った所定位置に、前記重合部を形成した際に他方の長辺フラップの側端部を差し込み係止する係止部を設けたことを特徴とする包装箱。
【発明の詳細な説明】
【技術分野】
【０００１】
本発明は、包装箱に関する。
【背景技術】
【０００２】
従来、段ボール板紙等で形成された直方体形状の包装箱は、被包装物を取り出した後にリサイクル或いは廃棄するために、偏平に折り畳むことが行われる。具体的には、包装箱の上下のフラップを開いて四角筒状の胴部の一方の対角線上に対向する両角部を鋭角に折り曲げることにより、胴部の側壁を重ねるようにして偏平に畳み込む。
【０００３】
しかし、包装箱が段ボール板紙等の曲げこわさの比較的大きい材料で形成されている場合には、復元力が作用して胴部の側壁を重ねた状態から浮き上がりやすく、偏平に折り畳んだ状態が維持されないことがある。このため、使用後に偏平に畳んだ複数の包装箱を積み重ねた状態で保管や移動を行うときに、安定した積み重ね状態が得られず、取り扱いが煩わしいという不都合がある。
【０００４】
そこで、従来、胴部の上縁に連接されているフラップを用いて胴部を偏平に畳んだ状態を維持するようにした包装箱が知られている（下記特許文献１参照）。この包装箱は、平面視長方形状の胴部の上縁のうち、短辺となる一対の上縁に内フラップが連設され、長辺となる一対の上縁に外フラップが連設されている。一方の外フラップには、その先端から基端に向かって切込みを設けることにより係止片が形成されている。そして、胴部を偏平に畳んだとき、他方の外フラップの側端部を切込みに差し込み、係止片を他方の外フラップの側端部とこの外フラップに隣合う内フラップとの間の隙間で互い違いに係止させ、胴部を折り畳んだ状態を維持させるようになっている。
【先行技術文献】
【特許文献】
【０００５】
【特許文献１】特開２００３−１７０９２５号公報
【発明の概要】
【発明が解決しようとする課題】
【０００６】
しかし、前記係止片を形成するための切込みは、一方の外フラップの先端から基端に向かって設けられているため、他方の外フラップの側端部を切込んでも、その係止力は極めて小さい。そして、畳んだときに鋭角に折り曲げられた胴部の角部の復元力が大きく、胴部の側壁が重なった状態から浮き上がると、両外フラップが胴部が浮き上がる方向に抵抗なく折れ曲がり、それに伴って外フラップ同士の係合が解除されてしまうことがある。
【０００７】
また、外フラップにその先端から基端にかけて切込みを形成すると外フラップの強度が低下するおそれもある。
【０００８】
上記の点に鑑み、本発明は、フラップ等の強度低下を抑えて、胴部の偏平に折り畳んだ状態を確実に維持することができる包装箱を提供することを目的とする。
【課題を解決するための手段】
【０００９】
本発明は、４つの角部を介して連なる４つの側壁により形成されて長方形に開口する筒状の胴部と、該胴部の開口端縁のうち長辺となる一対の端縁に折目線を介して連設されて前記側壁に対し直角となるように胴部内側方向に折り曲げる一対の長辺フラップとを備える包装箱であって、両長辺フラップを開いて前記胴部の対向する一対の角部を共に鋭角に曲げることにより該胴部を偏平に畳んだとき、両長辺フラップの側端部同士が重合する重合部が形成されるものにおいて、前記重合部に対応する少なくとも一方の長辺フラップの側端縁に沿った所定位置に、前記重合部を形成した際に他方の長辺フラップの側端部を差し込み係止する係止部を設けたことを特徴とする。
【００１０】
本発明によれば、少なくとも一方の長辺フラップの側端縁に沿った所定位置に係止部を設け、この係止部に他方の長辺フラップの側端部を差し込み係止することを可能としたので、一方の長辺フラップにより他方の長辺フラップを比較的強固に係止させることができ、これによって胴部を偏平に折り畳んだ状態を確実に維持させることができる。
【００１１】
なお、前記係止部は、例えば、切欠き或いは切れ目によって形成することができる。切欠き或いは切れ目によって係止部を形成する場合には、胴部と長辺フラップとの境界線（一般には折目線となっている）に沿って、その境界線が延びる方向と平行となる方向に切り込んだ切欠き或いは切れ目とすることにより、該係止部への他方の長辺フラップの係止状態を強固に得ることができる。
【００１２】
更に、一方の長辺フラップの側端縁に沿った所定位置に係止部を設けるだけでなく、前記重合部を形成したときに該係止部に対応して、他方の長辺フラップの側端縁に沿った位置に他の係止部を設けることができる。こうすれば、両係止部を相互に係止させることによって一層強固な係止状態が形成できるので、胴部を偏平に折り畳んだ状態をに維持させることができる。夫々の係止部の形状は前記重合部の重なり寸法の略半分となる長さに形成すればよいので、両係止部を小さくして長辺フラップの強度低下を確実に防止することができる。
【図面の簡単な説明】
【００１３】
【図１】本発明の実施形態の包装箱の外観を示す斜視図。
【図２】図１の包装箱の展開状態を示す平面図。
【図３】図１のIII−III線断面図。
【図４】図１の包装箱の折り畳み作業の一部を示す説明図。
【図５】図４に続く折り畳み作業の一部を示す説明図。
【図６】包装箱の折り畳まれた状態を示す説明図。
【図７】係止部の係止状態を示す説明図。
【図８】係止部の変形例を示す説明図。
【図９】他の実施形態における係止部の説明図。
【発明を実施するための形態】
【００１４】
本発明の一実施形態を図面に基づいて説明する。本実施形態の包装箱１は、図１に示すように組み立てられた状態では外観が直方体形状を有し、組み立て前の展開状態では図２に示すように、１枚のメインパネル２と２枚のサイドパネル３とで構成される段ボール板紙製の所謂ブリスボックスである。
【００１５】
図２に示すように、メインパネル２は、その中央位置に底板４を備えている。底板４の前後の端縁（図２において上下の端縁）には、折目線ａを介して第１側板５が連設されている。各第１側板５の先端縁には、折目線ｂを介して外フラップ６（長辺フラップ）が連設されている。
【００１６】
第１側板５の両側の端縁（図２において左右の端縁）には、折目線ｃを介して側部接着片７が連設されている。底板４の両側の端縁（図２において左右の端縁）には、折目線ｄを介して下部接着片８が連設されている。
【００１７】
２つのサイドパネル３は何れも同一形状とされ、夫々、第２側板９と、各第２側板９の先端縁に折目線ｅを介して連設された内フラップ１０とを備えている。
【００１８】
底板４及びその両側の下部接着片８には、カット用テープ１１が貼着されており、カット用テープ１１の両端に対応する下部接着片８の端部には、カット用テープ１１を摘みやすくするための切れ目１２が形成されている。また、底板４と下部接着片８との境界の折目線ｄには破断可能とするためのミシン目（図示省略）が強度を低下させない範囲で部分的に設けられている。
【００１９】
また、外フラップ６の両側端縁（図２において左右の端縁）に沿った夫々の所定位置には、凹状の切欠き１３（係止部）が形成されている。
【００２０】
第１側板５は、折目線ａを介して底板４に対して起立される。各第２側板９は、側部接着片７及び下部接着片８により接着される。これにより、図３に示すように、４つの角部１４を介して連なる４つの側壁（第１側板５及び第２側板９）により、上部が長方形に開口する有底の胴部１５が形成される。
【００２１】
図２に示すように、外フラップ６は、胴部１５の開口端縁の長辺となる各第１側板５の先端縁に連設されている。一方、内フラップ１０は、胴部１５の開口端縁の短辺となる各第２側板９の先端縁に連設されている。これにより、図１に示すように包装箱１を組み立てた場合に、外フラップ６は、その水平方向の長さが内フラップ１０より長い。
【００２２】
胴部１５が形成されると、続いて、内フラップ１０を水平に倒した後に外フラップ６を内フラップ１０に重合させ、外フラップ６を互いに突き合せることで、図１に示すように、胴部１５が閉塞される。なお、両外フラップ６の先端の突き合せ部分は、図示しない封緘テープ等で貼り付けることで封止される。
【００２３】
このように構成された包装箱１は、外フラップ６及び内フラップ１０を開いて内部の被包装物が取り出される。その後、リサイクル或いは廃棄のために偏平に折り畳まれる。
【００２４】
次に、包装箱１の折り畳み作業を説明すれば、先ず、図４に示すように、被包装物が取り出された包装箱１を天地反転させて底板４をカット用テープ１１（図２参照）に沿って破断し、２つに分断された底板４を引き上げて第１側板５上に起立させる。このとき、底板４と下部接着片８とは前述のミシン目により切離される。
【００２５】
これにより、図５に示すように、包装箱１の天地方向を戻すと、胴部１５の上下が開放された状態となる。そして、胴部１５の何れか一方の対角線上に対向する二つの角部１４を共に鋭角に曲げ、図６に示すように、胴部１５を偏平に折り畳む。
【００２６】
このとき、胴部１５が平面視長方形状であって、内フラップ１０よりも外フラップ６の横方向の長さ寸法が長いことにより、両外フラップ６の側端部同士が重合したことによる重合部１６が形成される。重合部１６には、図６に示すように、両外フラップ６に形成された切欠き１３が互いに対応して位置する。
【００２７】
次いで、図７に一部を拡大して示すように、一方の外フラップ６の切欠き１３と、他方の外フラップ６の切欠き１３とを互いに係止させる。これにより、両外フラップ６が連結状態となり、胴部１５が偏平に折り畳まれた状態が維持される。
【００２８】
このように、本実施形態の包装箱１によれば、外フラップ６の側端縁に沿った所定位置に切欠き１３を設け、この切欠き１３を、折目線ｂと平行となる方向に向って凹入する形状としたので、両切欠き１３の係止状態を強固とすることができる。これにより、胴部１５が偏平に折り畳まれた状態から復元力により筒状に戻ろうとしても、両切欠き１３の強固な係止状態により胴部１５の偏平状態を確実に維持することができる。そして、包装箱１が、４つの角部１４の近傍に側部接着片７による接着部分が形成されているブリスボックスのように偏平状態からの復元力が特に大きくても、確実に偏平状態が維持される。
【００２９】
また、本実施形態の包装箱１においては、外フラップ６の両側端縁（図２において左右の端縁）に沿った夫々の所定位置に切欠き１３が形成されていることにより、胴部１５を偏平に折り畳むときに、胴部１５の各対角線のうち何れの対角線上に対向する角部１４を選択して鋭角に曲げても、両外フラップ６の重合部１６で切欠き１３同士を係止させることができるので作業性が良い。
【００３０】
更に、本実施形態の包装箱１においては、両外フラップ６に切欠き１３を形成したことにより、切欠き１３の大きさを比較的小さくすることができ、両外フラップ６の強度低下が確実に防止される。
【００３１】
なお、本実施形態においては、本発明の係止部として切欠き１３を採用したが、それ以外に、図８に示すように、本発明の係止部として両外フラップ６の側端縁に沿った所定位置に切れ目１７を形成し、この切れ目１７同士を係止させてもよい。
【００３２】
また、本実施形態においては、両外フラップ６の各側端部に切欠き１３を設けた例を示したが、それに限るものではなく、例えば、図９に示すように、偏平状態で小さな重合部１８が形成される他の包装箱（図示せず）である場合には、切欠き１３を一方の外フラップ６にのみ設けてもよい。これによっても、切欠き１３が一方の外フラップ６の側端縁に沿った位置に設けられていることにより、切欠きが形成されていない他方の外フラップ６を十分に係止することができる。
【００３３】
また、本実施形態においては、図２に示すように、１枚のメインパネル２と２枚のサイドパネル３とで構成される所謂ブリスボックスについて説明したが、これに限るものではなく、例えば、図示しないが、所謂Ａ式段ボール箱にも本発明の係止部を好適に採用することができる。更に、Ａ式段ボール箱のように、天板を構成する長辺フラップと底板を構成する長辺フラップとを備える他の包装箱においては、天板側と底板側とに設けられた各長辺フラップに本発明の係止部を設けることで、天板側と底板側との両方で各長辺フラップ同士を係止させることができ、偏平に畳んだ状態を一層強固とすることができる。
【００３４】
また、本実施形態においては、段ボール板紙を材料とする包装箱１について説明したが、包装箱１の材料はこれに限るものではなく、例えば、プラスチック段ボール等を材料とした場合であっても、上記実施形態と同様の効果を得ることができる。
【符号の説明】
【００３５】
１…包装箱、５…第１側板（側壁）、６…外フラップ（長辺フラップ）９…第２側板（側壁）、１３…切欠き（係止部）、１４…角部、１５…胴部、１６，１８…重合部、１７…切れ目（係止部）。
【図１】
0005828749.tif 000002
【図２】
0005828749.tif 000003
【図３】
0005828749.tif 000004
【図４】
0005828749.tif 000005
【図５】
0005828749.tif 000006
【図６】
0005828749.tif 000007
【図７】
0005828749.tif 000008
【図８】
0005828749.tif 000009
【図９】
0005828749.tif 000010